(57)【特許請求の範囲】
【請求項１】
ロール状に巻かれることが可能な長尺の樹脂フィルムと、
前記樹脂フィルムの第１面の全面に形成され気体の通過を阻止する金属製の蒸着膜と、
前記樹脂フィルムにおける前記第１面とは反対側の第２面に形成され化学物質を吸着する吸着層と、
前記蒸着膜の面に形成された粘着層とを備えたシックハウス防止フィルム。
【請求項２】
請求項１において、前記吸着層は前記第２面における前記樹脂フィルムの長手方向に沿った一方の側縁部を除く概ね全面に形成されており、前記側縁部において前記樹脂フィルムの第２面が露出しているシックハウス防止フィルム。
【請求項３】
請求項２において、前記粘着層は前記側縁部にのみ設けられているシックハウス防止フィルム。
【請求項４】
ロール状に巻かれることが可能な長尺の樹脂フィルムと、
前記樹脂フィルムの第１面の全面に形成され気体の通過を阻止する金属製の蒸着膜と、
前記樹脂フィルムにおける前記第１面とは反対側の第２面の一部に形成され化学物質を吸着する吸着層と、
前記樹脂フィルムの第２面の残部に形成された粘着層とを備えたシックハウス防止フィルム。
【請求項５】
請求項４において、前記吸着層は前記第２面における前記樹脂フィルムの長手方向に沿った一方の側縁部を除く概ね全面に形成されており、前記粘着層は前記側縁部にのみ設けられているシックハウス防止フィルム。
【請求項６】
請求項１ないし５のいずれか１項において、前記シックハウス防止フィルムが天井材であるシックハウス防止フィルム。
【請求項７】
請求項１ないし５のいずれか１項において、前記シックハウス防止フィルムが壁材であるシックハウス防止フィルム。
【請求項８】
請求項１ないし５のいずれか１項において、前記シックハウス防止フィルムが床下材であるシックハウス防止フィルム。
【発明の詳細な説明】
【技術分野】
【０００１】
本発明は、建築物に用いるシックハウス防止フィルムに関するものである。
【背景技術】
【０００２】
近年、シックハウスによる健康被害が増加している。シックハウスとは、建材や、接着剤、塗料などに含まれる化学物質や、ハウスダスト、ダニ、カビなどにより、体が刺激を受け、アレルギー症状や喘息などの健康を生じるものである。
【０００３】
ところで、ハウスダストやダニ、カビなどは室内の清掃により取り除くことが可能であるが、建材や塗料などに含まれる化学物質は、空気中に揮発製物質として放出されるため、前記化学物質を吸着するための壁紙材などが提案されている（特許文献１および２参照）。
【特許文献１】特開２００５−３０７５６５公報（要約、図１）
【特許文献２】特開２００４−１６２１８５公報（要約、図１）
【発明の開示】
【発明が解決しようとする課題】
【０００４】
特許文献１では、建材として用いる石膏ボードに炭を練り混んだものを用いている。しかし、既存の建築物の壁等を前記石膏ボードに取り換えるのには、多大な費用と労力を要する。
そこで、特許文献２では、既存の建築物の壁面や天井面に活性炭シートを用いた壁紙を貼付することで、化学物質を前記活性炭シートに吸着させることが提案されている。
【０００５】
しかし、活性炭シートには、壁面や、天井、床から流出する化学物質を遮断する効果がないので、部屋の空気の十分な清浄効果が得にくい。
【０００６】
したがって、本発明の目的は、建材に用いられる化学物質が室内に流入するのを遮断すると共に、部屋の空気の清浄効果の高いシックハウス防止フィルムを提供することである。
【課題を解決するための手段】
【０００７】
前記目的を達成するために、本発明のシックハウス防止フィルムは、ロール状に巻かれることが可能な長尺の樹脂フィルムと、前記樹脂フィルムの第１面の全面に形成され気体の通過を阻止する金属製の蒸着膜と、前記樹脂フィルムにおける前記第１面とは反対側の第２面に形成され化学物質を吸着する吸着層と、前記蒸着膜の面に形成された粘着層とを備えている。
【発明の効果】
【０００８】
本第１発明のシックハウス防止フィルムは、金属製の蒸着膜が形成された第１面を天井や壁、床面側になるように、吸着層が形成された第２面が室内側になるように配置する。
本第１発明のシックハウス防止フィルムを天井や壁、床面などに貼付することにより、金属製の蒸着膜が建材から流出する化学物質の室内への流入を遮断すると共に、反対側（室内側）に設けた吸着層により当該室内のハウスダストや化学物質が吸着される。したがって、室内の空気の清浄化が図られ、シックハウスを防止することができる。
また、既存の建築物の天井や、壁、床面などに本シックハウス防止フィルムを貼付することができるので、施工が著しく簡便である。
【０００９】
なお、前記「蒸着膜」に用いる金属としては、たとえば、アルミニウムなどを用いることができる。
また、「吸着層」には、たとえば、活性炭や炭の粉末などを用いることができる。前記炭としては、たとえば、建築廃材などから生成した炭を用いてもよい。かかる場合には、リサイクル化が促進されて環境破壊を低減させることができる。
さらに、「粘着層」には、自然素材から作成した種々の粘着剤を用いることができる。前記粘着層としては、たとえば、両面テープなどを用いてもよい。
【発明を実施するための最良の形態】
【００１０】
本発明において、前記吸着層は前記第２面における前記樹脂フィルムの長手方向に沿った一方の側縁部を除く概ね全面に形成されており、前記側縁部において前記樹脂フィルムの第２面が露出しているのが好ましい。
かかる態様によれば、露出した側縁部に、隣接するシックハウス防止フィルムの粘着層を貼付することで、隣り合うシックハウス防止フィルム同士の蒸着膜を重ね貼りすることができる。
ここで、前記吸着層には活性炭や炭の粉末などが用いられているので、隣り合うシックハウス防止フィルム同士を重ね貼りする際、前記吸着層に隣のシックハウス防止フィルムの粘着層を用いて貼着するのは難しい。そこで、前記樹脂フィルムの露出した側縁部を設けることで、該露出した側縁部に隣り合うシックハウス防止フィルムの粘着層を貼着することにより、シックハウス防止フィルム同士を隙間無く配設することができる。したがって、化学物質の遮断性能が著しく向上する。
【００１１】
本発明において、前記粘着層は前記側縁部にのみ設けられているのが好ましい。
かかる態様によれば、粘着層を側縁部にのみ設けることで、粘着層に用いる粘着剤の量を少くすることができる。
【００１２】
本第２発明のシックハウス防止フィルムは、ロール状に巻かれることが可能な長尺の樹脂フィルムと、前記樹脂フィルムの第１面の全面に形成され気体の通過を阻止する金属製の蒸着膜と、前記樹脂フィルムにおける前記第１面とは反対側の第２面の一部に形成され化学物質を吸着する吸着層と、前記樹脂フィルムの第２面の残部に形成された粘着層とを備えている。
【００１３】
本第２発明のシックハウス防止フィルムは、吸着層および粘着層が形成された第２面を天井や壁、床面側になるように、金属製の蒸着膜が形成された第１面が室内側になるように配置する。
本第２発明のシックハウス防止フィルムを天井や壁、床面などに貼付することにより、建材から発生する化学物質を前記吸着層が吸着すると共に、反対側（室内側）に設けた金属製の蒸着膜により当該化学物質の室内への流入を遮断することができる。したがって、建材から発生する化学物質の室内への流入を遮断して、該室内の空気の清浄化を図り得る。
また、吸着層と粘着層とが同じ第２面に形成されているので、図４Ｃに示すように、壁や床面などに本シックハウス防止フィルムを複数層に重ね貼りすることも可能となり、より効果的に前記化学物質の室内への流入を遮断することができる。
【００１４】
本発明において、前記吸着層は前記第２面における前記樹脂フィルムの長手方向に沿った一方の側縁部を除く概ね全面に形成されており、前記粘着層は前記側縁部にのみ設けられていてもよい。
かかる場合には、一方の側縁部に粘着層を設けることにより、隣り合うシックハウス防止フィルム同士を重ね貼りすることができると共に、吸着層が形成される面積を大きく設定することができる。
【００１５】
本発明の前記シックハウス防止フィルムは、たとえば、天井材、壁材および床下材などに用いることができる。
【実施例１】
【００１６】
以下、本発明の一実施形態を図面にしたがって説明する。
なお、以下の説明で用いる図面では、発明の内容を分かり易くするために、シックハウス防止フィルムの厚さを拡大して描いている。
【００１７】
図１〜図３は実施例１を示す。
図１に示すように、シックハウス防止フィルム１は、長手方向Ｘに延びる長尺のフィルムであり、ロール状に巻かれることが可能である。シックハウス防止フィルム１の幅方向Ｗの長さは、施工性を考慮して、たとえば、６０ｃｍ〜１２０ｃｍ程度に設定されているのが好ましい。
【００１８】
シックハウス防止フィルム１は、ロール状に巻かれることが可能な長手方向Ｘに延びる長尺の樹脂フィルム１０を備えている。
図２Ａに示すように、前記樹脂フィルム１０の第１面（一方の面）Ｆ１の全面には、気体の通過を阻止する金属製の蒸着膜１１が形成されている。前記蒸着膜１１としては、たとえば、アルミを蒸着して形成したものを用いることができる。
【００１９】
前記蒸着膜１１の幅方向Ｗの両側縁部Ｓ１，Ｓ２には、粘着剤が塗布された粘着層１２が形成されており、前記粘着層１２の蒸着膜１１とは反対側の面には、剥離紙１３が貼着されている。したがって、前記粘着層１２は、樹脂フィルム１０の側縁部Ｓ１，Ｓ２にのみ設けられている。
なお、粘着層１２には自然素材を用いた粘着剤を採用するのが好ましい。粘着層１２としては、たとえば、蒸着膜１１に両面テープの粘着面を貼付したものを用いてもよい。
【００２０】
一方、前記樹脂フィルム１０における第１面Ｆ１とは反対側の第２面Ｆ２には、化学物質を吸収する吸着層１４が形成されている。前記吸着層１４は、たとえば、炭粉などから形成されている。前記炭粉は、所定の層になるように、水溶性の糊などで固めたものを用いることができる。前記炭粉としては、たとえば、活性炭や、竹炭、建築廃材などから作成した炭を破砕したものなどを用いることができる。
【００２１】
なお、吸着層１４には不織布に炭粉を詰めたものを用いてもよい。たとえば、樹脂フィルム１０に図示しない不織布を貼付し、該不織布と樹脂フィルム１０との間に炭粉を封入したものであってもよい。かかる場合には、炭粉の偏りを防止するために、樹脂フィルム１０に前記不織布を格子状に貼付し、該格子間に形成された複数の空間内に炭粉を封入するようにしてもよい。
【００２２】
前記吸着層１４は、フィルムＦの長手方向Ｘに沿った一方の側縁部Ｓ１を除く概ね全面に形成されている。前記側縁部Ｓ１には、前記粘着層１２の幅Ｗ１と概ね同じか若干幅広の部分にわたって、樹脂フィルム１０の前記第２面Ｆ２が露出された被貼着部１５が形成されている。
【００２３】
施工方法：
天井や壁に用いる場合；
図１のシックハウス防止フィルム１を天井や壁２（図２Ｂ）に施工するには、まず、ロール状に巻かれたシックハウス防止フィルム１の剥離紙１３を剥がしながら、図２Ｂの左側の二点鎖線で示すように、既存の天井（または壁紙）２に該シックハウス防止フィルム１の両端の粘着層１２を貼着させると共に、前記天井（壁）２の長さに合わせて所定の長さにカットする。
【００２４】
なお、予め所定の長さに切断したシックハウス防止フィルム１を用いてもよい。また、壁面に施工する場合には、既存の壁紙を剥がした後に、シックハウス防止フィルム１を壁に貼付してもよい。
【００２５】
その後、前記シックハウス防止フィルム１の前記吸着層１４が形成されていない前記被貼着部１５に、図２Ｂの実線で示す次のシックハウス防止フィルム１の剥離紙１３（図２Ａ）を剥がしながら前記貼付済のシックハウス防止フィルム１の被貼着部１５に次のシックハウス防止フィルム１の粘着層１２を貼着させる。一方、次のシックハウス防止フィルム１の他方の粘着層１２を天井（壁）２に貼着させると共に、所定の長さにカットする。
貼付済のシックハウス防止フィルム１に次のシックハウス防止フィルム１を貼付する作業を繰り返しながら、図３に示すように、天井（壁）２に、隣り合うシックハウス防止フィルム１の側縁部Ｓ１，Ｓ２同士が重なるように貼着し、天井（壁）２全面にシックハウス防止フィルム１を配置する。
【００２６】
なお、前記シックハウス防止フィルム１を天井に施工する場合には、該シックハウス防止フィルム１の落下防止のために、粘着層１２を樹脂フィルム１０の両側縁部Ｓ１，Ｓ２以外の蒸着膜１１に設け、天井にしっかりとシックハウス防止フィルム１を貼付するようにしてもよい。
【００２７】
床面に用いる場合；
図１のシックハウス防止フィルム１を図２Ｃに示す床面４などに施工するには、まず、ロール状に巻かれたシックハウス防止フィルム１の剥離紙１３（図２Ａ）を剥がしながら、図２Ｃの左側の二点鎖線で示すように、床面４に該シックハウス防止フィルム１の両端の粘着層１２を貼着させると共に、前記床面４の長さに合わせて、シックハウス防止フィルム１を所定の長さにカットする。
【００２８】
その後、前記シックハウス防止フィルム１の前記吸着層１４が形成されていない前記被貼着部１５に、図２Ｃの実線で示す次のシックハウス防止フィルム１の剥離紙１３（図２Ａ）を剥がしながら、前記貼付済のシックハウス防止フィルム１の被貼着部１５に次のシックハウス防止フィルム１の粘着層１２を貼着させる。同時に、次のシックハウス防止フィルム１の他方の粘着層１２は床面４に貼着させ、当該次のシックハウス防止フィルム１を所定の長さにカットする。
【００２９】
貼付済のシックハウス防止フィルム１に次のシックハウス防止フィルム１を貼付する作業を繰り返しながら、図３に示すように、床面４に、隣り合うシックハウス防止フィルム１の側縁部Ｓ１，Ｓ２同士が重なるように貼着し、床面４全面にシックハウス防止フィルム１を配置する。
図２Ｃに示す前記床面４全体にシックハウス防止フィルム１を貼付した後、シックハウス防止フィルム１の上から畳５やカーペットなどを配置する。
【実施例２】
【００３０】
図４Ａおよび図４Ｂは実施例２を示す。
図４Ａに示すように、シックハウス防止フィルム１Ａは、樹脂フィルム１０を備えており、該樹脂フィルム１０の第１面（図４Ｂの天井（壁）２または床面４に接する面）Ｆ１の全面には、気体の通過を阻止する金属製の蒸着膜１１が形成されている。
【００３１】
一方、前記樹脂フィルム１０における第１面Ｆ１とは反対側の第２面Ｆ２には、たとえば、炭粉からなる吸着層１４が形成されている。前記吸着層１４は、フィルムＦの長手方向Ｘ（図１）に沿った両端の側縁部Ｓ１，Ｓ２を除く概ね全面に形成されている。前記両側縁部Ｓ１，Ｓ２、すなわち、第２面Ｆ２の吸着層１４が形成されていない残部には、粘着層１２が形成されている。前記粘着層１２には、樹脂フィルム１０とは反対側の面に剥離紙１３が貼付されている。
その他の構成は、実施例１と同様であり、同一部分または相当部分に同一符号を付してその説明を省略する。
【００３２】
施工方法：
図４Ａのシックハウス防止フィルム１Ａを、図４Ｂに示す天井（壁）２または床面４に施工するには、まず、シックハウス防止フィルム１の剥離紙１３（図４Ａ）を剥がしながら、図４Ｂの左側の二点鎖線で示すように、シックハウス防止フィルム１Ａを吸着層１４が形成された第２面Ｆ２が天井（壁）２または床面４側になるように該天井（壁）２や床面４に貼付し、所定の長さにカットする。
【００３３】
その後、実線で示す次のシックハウス防止フィルム１Ａの剥離紙１３（図４Ａ）を剥がしながら、当該次のシックハウス防止フィルム１Ａの一方の側縁部Ｓ２の粘着層１２が、貼付済のシックハウス防止フィルム１Ａの蒸着膜１１の側縁部Ｓ１に重なるように次のシックハウス防止フィルム１Ａを貼着させる。同時に、前記次のシックハウス防止フィルム１Ａの他方の側縁部Ｓ１を天井（壁）２または床面４に貼着する。その後、シックハウス防止フィルム１Ａを所定の長さにカットする。
【００３４】
貼付済のシックハウス防止フィルム１に次のシックハウス防止フィルム１を貼付する作業を繰り返しながら、天井（壁）２や床面４に、隣り合うシックハウス防止フィルム１Ａが重なるように貼着する。
【００３５】
図４Ｃは、前記シックハウス防止フィルム１Ａを２重に重ね貼りした状態を示す。
図４Ｃの実線で示す貼着済のシックハウス防止フィルム１Ａの第１面Ｆ１側の蒸着膜１１に、図４Ｃの二点鎖線で示すシックハウス防止フィルム１Ａを前述の施工方法で貼着する。
なお、化学物質の流出量やシックハウス防止フィルム１Ａの遮断状態に応じて、シックハウス防止フィルム１Ａを３重以上に重ね貼りしてもよい。
【産業上の利用可能性】
【００３６】
本発明は、特に、天井や、壁、床面など既存の建築物に対してシックハウスを防止するために用いるシックハウス防止フィルムに適用することができる。
【図面の簡単な説明】
【００３７】
【図１】本発明の実施例１にかかるシックハウス防止フィルムを示す概略斜視図である。
【図２】図２Ａは図１におけるIIA-IIA 概略断面図、図２Ｂおよび図２Ｃはシックハウス防止フィルムの施工方法の一例を示す概略横断面図である。
【図３】シックハウス防止フィルムの施工方法の一例を示す概略正面図である
【図４】図４Ａは本発明の実施例２にかかるシックハウス防止フィルムを示す概略横断面図、図４Ｂおよび図４Ｃは施工方法を示す概略横断面図である。
【符号の説明】
【００３８】
１，１Ａ：シックハウス防止フィルム
１０：樹脂フィルム
１１：蒸着膜
１２：粘着層
１４：吸着層
Ｆ１：第１面
Ｆ２：第２面
【要約】
【課題】建築物に用いられる化学物質が室内に流入するのを遮断すると共に、部屋の空気の清浄効果の高いシックハウス防止フィルムを提供する。
【解決手段】本発明のシックハウス防止フィルム１は、ロール状に巻かれることが可能な長尺の樹脂フィルム１０と、前記樹脂フィルム１０の第１面Ｆ１の全面に形成され気体の通過を阻止する金属製の蒸着膜１１と、前記樹脂フィルム１０における前記第１面Ｆ１とは反対側の第２面Ｆ２に形成された吸着層１４と、前記蒸着膜１１の面に形成された粘着層１２とを備えていることを特徴とする。
【選択図】図１【図１】
0004034337.tif 000002
【図２】
0004034337.tif 000003
【図３】
0004034337.tif 000004
【図４】
0004034337.tif 000005